(57)【特許請求の範囲】
【請求項１】
床、ベランダ等のスラブに設けられた開口部に嵌装・固定される収納枠と、この収納枠の床面側及び天井面側に開閉可能に枢着される上蓋及び下蓋と、これら上蓋と下蓋とを互いに連動して開閉動作させる開閉連動機構と、上記収納枠内に折り畳まれて収納されると共に上記上蓋及び下蓋が開かれたとき、階下の床若しくはその付近まで伸長する梯子とを具備する避難装置において、
上記上蓋の開放端側において鉛直方向に回動可能に垂下される板状の基部と、この基部の下端から収納枠の内方側に向かって下り勾配状に折曲される下部傾斜片とを有する係止金具と、上記収納枠の内方側に突出され、上記上蓋が開放された際、上記係止金具に設けられた係止孔に係合可能な係止突起とを有するロック機構と、
上記下蓋の下方に操作端部が突出する開放アームを有し、この開放アームの操作によって上記上蓋を開放可能な上蓋開放機構と、を具備してなり、
上記開放アームの端部に、この開放アームを操作して上記上蓋を開放する際、上記下部傾斜片に当接して、上記係止金具と係止突起の係合を解除するロック解除部を設けた、
ことを特徴とする避難装置。
【請求項２】
請求項１記載の避難装置において、
上記上蓋開放機構は、収納枠に略中間部が枢着され、上蓋及び下蓋の枢着部側に操作端部を有する開放アームと、上記収納枠に基端部が枢着され、自由端部が上記上蓋の下面に接触移動可能に係合する作用アームと、一端部が上記開放アームの他端部に枢着され、他端部が上記作用アームの略中間部に摺動及び回動可能に枢着される中間アームとで構成してなる、ことを特徴とする避難装置。
【発明の詳細な説明】
【技術分野】
【０００１】
この発明は避難装置に関するもので、更に詳細には、上蓋と下蓋を有する避難装置に関するものである。
【背景技術】
【０００２】
一般に、この種の避難装置として、床、ベランダ等のスラブに設けられた開口部に嵌装・固定される収納枠と、この収納枠の床面側及び天井面側にそれぞれ枢着される上蓋及び下蓋と、収納枠内に折り畳まれて収納されると共に上蓋及び下蓋が開かれたとき、階下の床若しくはその付近まで伸長する例えばパンタグラフ式の梯子を具備するものが知られている。
【０００３】
上記のように構成される避難装置は、一般に上蓋の開放に伴って下蓋が開放する連動式の構造となっている。また、上蓋には悪戯や不用意な動作による上蓋の開放を防止するための安全ロックが設けられている。
【０００４】
このような安全ロックとしては、例えば、上蓋が閉じた状態で上蓋の内側にハッチ本体の方向の揺動するように取り付けたロック部材を備え、上蓋を少し開くとロック部材がハッチ本体に設けられた係止部に係止して上蓋の開放がロックされる構造のものが知られている（例えば、特許文献１参照）。
【特許文献１】特開２０００−２４８８０５号公報（特許請求の範囲、段落番号０００５，０００７、図１〜図３）
【発明の開示】
【発明が解決しようとする課題】
【０００５】
しかしながら、特開２０００−２４８８０５号公報に記載のものにおいて、安全ロックは、階上側から上蓋を開放する際にロックの解除を行うことができるが、階下側からの下蓋を開放する際には、安全ロックによって上蓋が開放されないので、上蓋と下蓋とが互いに連動して開閉動作する構造の避難装置においては、階下側からの上蓋及び下蓋の開閉ができないという問題があった。
【０００６】
この発明は、上記事情に鑑みてなされたもので、階下側から容易に上蓋及び下蓋を開放でき、かつ、上蓋の不用意な開放を防止するようにした避難装置を提供することを課題とするものである。
【課題を解決するための手段】
【０００７】
上記課題を解決するために、この発明の避難装置は、床、ベランダ等のスラブに設けられた開口部に嵌装・固定される収納枠と、この収納枠の床面側及び天井面側に開閉可能に枢着される上蓋及び下蓋と、これら上蓋と下蓋とを互いに連動して開閉動作させる開閉連動機構と、上記収納枠内に折り畳まれて収納されると共に上記上蓋及び下蓋が開かれたとき、階下の床若しくはその付近まで伸長する梯子とを具備する避難装置において、  上記上蓋の開放端側において鉛直方向に回動可能に垂下される板状の基部と、この基部の下端から収納枠の内方側に向かって下り勾配状に折曲される下部傾斜片とを有する係止金具と、上記収納枠の内方側に突出され、上記上蓋が開放された際、上記係止金具に設けられた係止孔に係合可能な係止突起とを有するロック機構と、  上記下蓋の下方に操作端部が突出する開放アームを有し、この開放アームの操作によって上記上蓋を開放可能な上蓋開放機構と、を具備してなり、  上記開放アームの端部に、この開放アームを操作して上記上蓋を開放する際、上記下部傾斜片に当接して、上記係止金具と係止突起の係合を解除するロック解除部を設けた、ことを特徴とする（請求項１）。
【０００８】
このように構成することにより、上蓋の開放端側において鉛直方向に回動可能に垂下される係止金具と、収納枠の内方側に突出され、上蓋が開放された際、係止金具に設けられた係止孔に係合可能な係止突起とを有するロック機構によって、上蓋の不用意な開放を防止することができる。また、開放アームの一端の操作端部を下方に引っ張ると、開放アームの他端部が上方に回動すると共に、開放アームのロック解除部によって係止金具と係止突起の係合を解除し、これに伴って上蓋開放機構によって上蓋を開放し、開閉連動機構を介して上蓋に連動する下蓋を開放することができる。
【００１０】
また、上記のように構成することにより、開放アームのロック解除部を係止金具の下部傾斜片に当接させて、係止金具と係止突起との係合を解除することができる。また、係止金具は、基部の下端から収納枠の内方側に向かって折曲される下部傾斜片を有するので、係止金具の重心を外側すなわち係止突起側に位置させることができる。
【００１１】
また、この発明において、上記上蓋開放機構を、収納枠に略中間部が枢着され、上蓋及び下蓋の枢着部側に操作端部を有する開放アームと、上記収納枠に基端部が枢着され、自由端部が上記上蓋の下面に接触移動可能に係合する作用アームと、一端部が上記開放アームの他端部に枢着され、他端部が上記作用アームの略中間部に摺動及び回動可能に枢着される中間アームとで構成する方が好ましい（請求項２）。
【００１２】
このように構成することにより、開放アームの一端の操作端部を下方に引っ張ると、開放アームの他端部が上方に回動し、これに伴って中間アームを介して作用アームの自由端部が上方に回動して上蓋を開放し、開閉連動機構を介して上蓋に連動する下蓋を開放することができる。
【発明の効果】
【００１３】
この発明の避難装置は、上記のように構成されているので、以下のような効果が得られる。
【００１４】
（１）請求項１記載の発明によれば、上蓋の開放端側において鉛直方向に回動可能に垂下される係止金具と、収納枠の内方側に突出され、上蓋が開放された際、係止金具に設けられた係止孔に係合可能な係止突起とを有するロック機構によって、上蓋の不用意な開放を防止することができるので、不使用時における避難装置の開口部からの落下等を防止することができる。また、開放アームの一端の操作部を下方に引っ張ると、開放アームの他端部が上方に回動すると共に、開放アームのロック解除部によって係止金具と係止突起の係合を解除し、これに伴って上蓋開放機構によって上蓋を開放し、開閉連動機構を介して上蓋に連動する下蓋を開放することができるので、階下側から係止金具と係止突起との係合を容易に解除することができると共に、容易かつ確実に上蓋及び下蓋を開放することができる。
【００１５】
（２）また、請求項１記載の発明によれば、開放アームのロック解除部を係止金具の下部傾斜片に当接させて、係止金具と係止突起との係合を解除することができるので、更に、係止金具と係止突起との係合を容易かつ確実に解除することができる。また、係止金具は、基部の下端から収納枠の内方側に向かって折曲される下部傾斜片を有するので、係止金具の重心を外側すなわち係止突起側に位置させることができ、常時、係止孔が係止突起に係合されるので、更に係止金具と係止突起との係合を確実にすることができる。したがって、振動等によって係止金具と係止突起の係合が安易に外れることがない。
【００１６】
（３）請求項２記載の発明によれば、開放アームの一端の操作部を下方に引っ張ると、開放アームの他端部が上方に回動し、これに伴って中間アームを介して作用アームの自由端部が上方に回動して上蓋を開放し、開閉連動機構を介して上蓋に連動する下蓋を開放することができるので、上記（１），（２）に加えて、更に大きな力や大きな引っ張りストロークを要することなく、階下側から容易かつ確実に上蓋及び下蓋を開放することができる。したがって、階下側から階上側への避難や救援者の階下側からの救援活動を速やかに行わせることができる。
【発明を実施するための最良の形態】
【００１７】
以下に、この発明の最良の実施形態を添付図面に基づいて詳細に説明する。
【００１８】
図１は、この発明に係る避難装置の使用状態を示す斜視図、図２は、上蓋と下蓋を閉塞した状態を示す概略断面図（ａ）及び（ａ）のＩ部拡大断面図（ｂ）、図３は、ロック機構を示す拡大斜視図、図４は、図２のII−II線に沿う拡大断面図である。
【００１９】
この発明の避難装置は、床、ベランダ等のスラブ１に設けられた開口部１ａに嵌装・固定される収納枠２と、この収納枠２の床面側及び天井面側にそれぞれ枢着される上蓋３及び下蓋４と、収納枠２内に折り畳まれて収納されると共に階下の床若しくはその付近まで伸長するパンタグラフ式の梯子６と、この梯子６の伸長降下速度を制御すると共に梯子６を引上げ収納する緩降器７と、上蓋３と収納枠２の間に介在されて悪戯や不用意な動作によって上蓋３が開放されるのを防止するロック機構３０と、上蓋３と下蓋４とを互いに連動して開閉動作させる開閉連動機構１０と、階下側から上蓋３を開放する上蓋開放機構２０と、緩降器７の梯子収納解除部に連結する梯子伸長用チェーン８とで主要部が構成されている。
【００２０】
この場合、梯子６は、複数の縦桟６ａをパンタグラフ式に枢着した一対の伸縮体６ｃ間に複数の足踏み用の横桟６ｂが適宜間隔をおいて横架され、かつ収納枠２内に折畳まれて収納されると共に、階下の床若しくはその付近まで伸長し得るようになっている。また、下部側の縦桟６ａの間に横架された横桟６ｂと緩降器７の巻取ドラム７ａとの間には巻上用ワイヤ９が繋着されている。
【００２１】
上記収納枠２は、図２及び図３に示すように、上端に外向きの上部フランジ２ａを有し、かつ下端には外向きのＬ形状の下部フランジ２ｂを折曲した４個の側壁部材２ｃを方形状に枠組みした構造となっている。また、梯子取付側の側壁部材２ｃの内側面には図示しない固定ボルトとナットをもって取付具４０が固着され、この取付具４０のブラケット４１に梯子６の最上部の縦桟６ａの上端部が枢支ボルト４２によって回動可能に枢支されている。この取付具４０を固着する場合に、予め折り畳まれた梯子６を取付具４０に取り付けておくことにより、取付具４０の固着作業と同時に梯子６の取付を行うことができる。なお、収納枠２の側壁部材２ｃの外側面にはＬ字状のアンカ部材２ｄがスポット溶接等によって固着されている。
【００２２】
上記上蓋３と下蓋４は、それぞれ収納枠２の一側端部（図２における右側端部）にヒンジ３ａ，４ａを介して開閉可能に枢着されており、上蓋３及び下蓋４の両側辺及び収納枠２の対向する側壁部材２ｃに取り付けられる一対の開閉連動機構１０によって上蓋３と下蓋４が互いに連動して開閉動作し得るように構成されている。なお、上蓋３の略中央内面側には、手掛け部５が固設されている。
【００２３】
この場合、開閉連動機構１０は、収納枠２に第１の枢支ピン１１ａによって枢着される鉛直方向に回動可能なベルクランク状の中間リンク１２と、この中間リンク１２の第１の腕部１２ａに第２の枢支ピン１１ｂによって一端が枢着され、他端が第３の枢支ピン１１ｃによって上蓋３の下面に固着されたブラケット１３に枢着される上部リンク１４と、一端が第４の枢支ピン１１ｄによって下蓋４に枢着され、他端に設けられた長孔１５に摺動及び回動自在な第５の枢支ピン１１ｅによって中間リンク１２の第２の腕部１２ｂに摺動及び回動自在に枢着される下部リンク１６とで構成されている。
【００２４】
上記のように構成される開閉連動機構１０によれば、閉塞状態から上蓋３を開放すると、上蓋３の開放動作に伴って上部リンク１４を介して中間リンク１２が図２において時計方向に回動して、中間リンク１２の第２の腕部１２ｂを下方側に移動する。この際、中間リンク１２の回動開始時には、第５の枢支ピン１１ｅは長孔１５内を摺動して下部リンク１６は移動しないので、上蓋３の開放時の負荷が低減される。そして、更に中間リンク１２が回動することにより、中間リンク１２の回動に伴って下部リンク１６を介して下蓋４が開放される。
【００２５】
上記ロック機構３０は、上蓋３の開放端側において鉛直方向に回動可能に垂下される係止金具３１と、収納枠２の内方側に突出され、上蓋３が開放された際、係止金具３１に設けられた係止孔３２に係合可能な係止突起３３とで構成されている。
【００２６】
この場合、係止金具３１は、図２（ｂ）及び図３に示すように、上端がヒンジピン３４によって回動（揺動）可能に垂下される略長方形状の基部３５と、この基部３５の下端から収納枠２の内方側に向かって下り勾配状に折曲されるロック解除用の下部傾斜片３６と、基部３５の上部から下部傾斜片３６の上部に渡って穿設される係止孔３２とを具備している。この係止孔３２の長さは、上記係止突起３３の取付位置によって設定される。
【００２７】
このように構成される係止金具３１は、基部３５の下端から収納枠２の内方側に向かって折曲される下部傾斜片３６を有するので、重心が外側すなわち係止突起３３側に位置して、上蓋３閉塞状態において、常時、係止孔３２が係止突起３３に係合されるようになっている。したがって、振動等によって係止金具３１と係止突起３３の係合が安易に外れることがない。また、閉塞状態から上蓋３を開放すると、上蓋３の開放に伴って係止金具３１も上方へ移動し、係止孔３２の下端縁が係止突起３３に係合して、上蓋３の開放を阻止（ロック）することができる。したがって、上蓋３の不用意な開放を防止することができる。また、避難時に、上蓋３を開放するときは、ロック状態あるいはロック前の状態にある係止金具３１を内方側に移動させて、係止突起３３との係合を解除させた状態で、上蓋３を開放することができる。なお、ロック機構３０は、後述する上蓋開放機構２０の動作時に自動的にロック状態が解除されるようになっている（図５参照）。
【００２８】
上記上蓋開放機構２０は、図２及び図７に示すように、収納枠２を構成する側壁部材２ｃに第１の枢着ピン２１ａによって略中間部が枢着され、上蓋３及び下蓋４の枢着部側における下蓋４の下方に露出する操作端部２７を有する開放アーム２２と、収納枠２の側壁部材２ｃに第２の枢着ピン２１ｂによって基端部が枢着され、自由端部が上蓋３の下面に接触移動可能に係合する作用アーム２３と、第３の枢着ピン２１ｃによって一端部が開放アーム２２の他端部に枢着され、第４の枢着ピン２１ｄによって他端部が作用アーム２３の略中間部に設けられたロック解除用の長孔２４内に摺動及び回動自在に枢着される中間アーム２５とで構成されている。なお、上蓋開放機構２０における第２の枢着ピン２１ｂを、開閉連動機構１０の中間リンク１２を枢着する第１の枢支ピン１１ａと兼用させる方が望ましい。このように、上蓋開放機構２０における第２の枢着ピン２１ｂと、開閉連動機構１０の第１の枢支ピン１１ａとを兼用させることにより、構成部材の削減を図ることができる。
【００２９】
この場合、開放アーム２２は、断面略コ字状のチャンネル部材によって形成されており、一端部における上部片２２ａと下部片２２ｂが切り欠かれ、その切欠部２６ａに操作端部２７を構成する引き手部材２７ａが、例えばリベット２７ｂによって鉛直方向に回動可能に軸着されている。引き手部材２７ａは、出荷時の梱包の際には、回動されて開放アーム２２の上側に位置し（図２（ａ）の二点鎖線参照）、使用時には、開放アーム２２の下側に垂下されて下蓋４の下方に突出されるようになっている。
【００３０】
また、開放アーム２２の他端部は、上部片２２ａが切り欠かれており、その切欠部２６ｂに第３の枢着ピン２１ｃによって中間アーム２５の一端部が枢着されている。また、開放アーム２２の他端部先端には、開放アーム２２の長手方向に対して直交状のロック解除片２８が設けられている。このロック解除片２８は、開放アーム２２の回動に伴って上方へ移動する際、係止金具３１の下部傾斜片３６に当接して、係止金具３１を係止突起３３の係合位置から解除する方向へ移動するように構成されている。すなわち、係止金具３１の下部傾斜片３６を開放アーム２２の他端部先端に設けられたロック解除片２８の回動軌跡上に位置させることによって、開放アーム２２の回動に伴って確実にロック解除片２８が係止金具３１の下部傾斜片３６に当接し得るようになっている。
【００３１】
また、作用アーム２３の自由端部には、枢軸２９ａによって鉛直方向に回動自在な例えばＡＢＳ等のような合成樹脂製の車輪２９が枢着されている。この車輪２９は、上蓋３の下面に転動可能に接触しており、開放アーム２２の開放操作に伴って作用アーム２３が、図２及び図７において時計方向に回動して上方へ移動する際に、車輪２９が上蓋３の下面に転動可能に接触することにより、作用アーム２３と上蓋３との接触摩擦を低減することができる。
【００３２】
次に、階下側から上蓋３を開放する場合の動作について、図６Ａないし図６Ｄを参照して説明する。
【００３３】
図６Ａに示す閉塞状態において、操作端部２７の引き手部材２７ａを下方へ引っ張ると、図６Ｂに示すように、開放アーム２２が第１の枢着ピン２１ａを支点として、時計方向に回動する。この開放アーム２２の回動に伴って中間アーム２５も上方の時計方向側に移動するが、中間アーム２５に設けられた長孔２４と第４の枢着ピン２１ｄが摺動するので、作用アーム２３は回動せず、開放アーム２２に設けられたロック解除片２８が係止金具３１の下部傾斜片３６に当接して、係止金具３１の係止孔３２と係止突起３３の係合を解除する。
【００３４】
更に、引き手部材２７ａを下方に引っ張ると、開放アーム２２が更に時計方向に回動し、これに伴って中間アーム２５も時計方向に移動して、作用アーム２３が時計方向に回動され、この作用アーム２３の回動に伴って、作用アーム２３の自由端部の車輪２９が上蓋３の自由端側から基端側に向かって転動可能に接触することにより、上蓋３が開放される（図６Ｃ参照）。上蓋３が開放されて行くと、上述したように、開閉連動機構１０が作動して、下蓋４が開放される（図６Ｄ参照）。
【００３５】
上記のようにして、上蓋３及び下蓋４が開放した後、梯子６を伸長させて、階下側から階上側へ避難あるいは救援活動することができる。
【００３６】
なお、使用後あるいは収納枠２内に梯子６を格納する場合は、開放された上蓋３を閉じると、開放アーム２２は、常に開放以前の状態となるため、上蓋３に垂下された係止金具３１は常に開放アーム２２より後に格納され、開放アーム２２の他端部先端に設けられたロック解除片２８よりも先行して収納されることがなく、開放操作時における係止金具３１の未解除によって上蓋３が開放しない状態は発生しないようになっている。
【図面の簡単な説明】
【００３７】
【図１】この発明に係る避難装置の使用状態を示す斜視図である。
【図２】上蓋と下蓋を閉塞した状態を示す概略断面図（ａ）及び（ａ）のＩ部拡大断面図（ｂ）である。
【図３】この発明におけるロック機構を示す拡大斜視図である。
【図４】図２のII−II線に沿う拡大断面図である。
【図５】上蓋のロック機構によるロック状態を示す概略断面図（ａ）及びロック機構のロックを解除した状態を示す概略断面図（ｂ）である。
【図６Ａ】上蓋と下蓋の閉塞状態を示す概略断面図である。
【図６Ｂ】この発明における開放アームの回動し始めの状態を示す概略断面図である。
【図６Ｃ】上記開放アームの回動に伴って上蓋が開放される状態を示す概略断面図である。
【図６Ｄ】上蓋の開放と連動して下蓋が開放する状態を示す概略断面図である。
【図７】この発明における上蓋と下蓋を開放する状態を示す概略断面図である。
【符号の説明】
【００３８】
１  スラブ
１ａ  開口部
２  収納枠
３  上蓋
４  下蓋
６  梯子
１０  開閉連動機構
２０  上蓋開放機構
２２  開放アーム
２３  作用アーム
２５  中間アーム
２７  操作端部
２８  ロック解除部
３０  ロック機構
３１  係止金具
３２  係止孔
３３  係止突起
３５  基部
３６  下部傾斜部
【図１】
0004666635.tif 000002
【図２】
0004666635.tif 000003
【図３】
0004666635.tif 000004
【図４】
0004666635.tif 000005
【図５】
0004666635.tif 000006
【図６Ａ】
0004666635.tif 000007
【図６Ｂ】
0004666635.tif 000008
【図６Ｃ】
0004666635.tif 000009
【図６Ｄ】
0004666635.tif 000010
【図７】
0004666635.tif 000011